(57)【要約】【課題】テーブルの天板下に利用者の足が入り込むことのできる空間領域をできるだけ大きく確保する。【解決手段】接地するベース２２に複数本の脚支柱２１を立設してなる脚体２と、この脚体２に支持された天板１とを具備するテーブルであって、前記複数の脚支柱２１は、その下端同士がその上端同士よりも接近する方向に傾斜しており、前記脚支柱２１の上端は、前記天板１の外縁よりも内側寄りに位置しており、前記各脚支柱２１の下方に利用者の足が入り込める領域４が形成されているテーブルを構成した。【選択図】図３
2019076572.tif 000002
【特許請求の範囲】
【請求項１】
接地するベースに複数本の脚支柱を立設してなる脚体と、この脚体に支持された天板とを具備するテーブルであって、
前記複数の脚支柱は、その下端同士がその上端同士よりも接近する方向に傾斜しており、
前記脚支柱の上端は、前記天板の外縁よりも内側寄りに位置しており、
前記各脚支柱の下方に利用者の足が入り込める領域が形成されているテーブル。
【請求項２】
前記ベースは、その外縁部に前記脚支柱の下端が位置する形態をなしている請求項１記載のテーブル。
【請求項３】
前記各脚支柱は、前記ベースを介して他の脚支柱と連結されている請求項１または２記載のテーブル。
【請求項４】
前記ベースは、平面視略矩形状のものである請求項１、２または３記載のテーブル。
【請求項５】
前記ベースの四隅に前記脚支柱が立設されている請求項４記載のテーブル。
【請求項６】
前記ベースに錘を取り付けることができるように構成されている請求項１、２、３、４または５記載のテーブル。
【請求項７】
複数本の脚支柱を有する脚体と、前記脚支柱の上端間を連結する天板支持フレームと、この天板支持フレーム上に配された天板とを備えたテーブルであって、
前記脚支柱が、前記天板から前記脚体に作用する下向きの荷重により前記天板支持フレームに引張応力が作用する方向に傾斜させてあるテーブル。
【発明の詳細な説明】
【技術分野】
【０００１】
本発明は、複数本の脚支柱を有する脚体に天板が支持されてなるテーブルに関する。特に、天板下に利用者の足が入り込める空間領域をできるだけ大きく確保したテーブルに関する。
【背景技術】
【０００２】
一般に、テーブルの天板を支える脚支柱は、テーブルの転倒を防止するために、天板の四隅から鉛直に垂下している（例えば、下記特許文献１を参照）、または下端が上端よりも外側方に拡開するように傾斜した姿勢をとることが通例である（例えば、下記特許文献２を参照）。
【０００３】
天板の四隅から鉛直に垂下する脚支柱は、テーブルの隅角部において利用者の足が天板下に入り込むことを妨げる。また、脚支柱の下端が上端よりも外側方に拡開していると、天板下の利用者の足が入り込める空間領域が狭くなる。
【先行技術文献】
【特許文献】
【０００４】
【特許文献１】特開２０１７−０７９８２０号公報
【特許文献１】特開２０１６−２１４６１２号公報
【発明の概要】
【発明が解決しようとする課題】
【０００５】
本発明は、テーブルの天板下に利用者の足が入り込むことのできる空間領域をできるだけ大きく確保することを所期の目的としている。
【課題を解決するための手段】
【０００６】
上述した課題を解決するべく、本発明では、接地するベースに複数本の脚支柱を立設してなる脚体と、この脚体に支持された天板とを具備するテーブルであって、前記複数の脚支柱は、その下端同士がその上端同士よりも接近する方向に傾斜しており、前記脚支柱の上端は、前記天板の外縁よりも内側寄りに位置しており、前記各脚支柱の下方に利用者の足が入り込める領域が形成されているテーブルを構成した。
【０００７】
前記ベースは、例えば、その外縁部に前記脚支柱の下端が位置する形態をなす。
【０００８】
前記各脚支柱は、前記ベースを介して他の脚支柱と連結され得る。
【０００９】
前記ベースは、例えば、平面視略矩形状をなす。この場合において、前記脚支柱は、前記ベースの四隅に立設されることがある。
【００１０】
前記ベースに錘を取り付けることができるように構成されていれば、錘によりテーブル全体の重心が低下し、テーブルの転倒を効果的に抑止できる。
【００１１】
並びに、本発明では、複数本の脚支柱を有する脚体と、前記脚支柱の上端間を連結する天板支持フレームと、この天板支持フレーム上に配された天板とを備えたテーブルであって、前記脚支柱が、前記天板から前記脚体に作用する下向きの荷重により前記天板支持フレームに引張応力が作用する方向に傾斜させてあるテーブルを構成した。
【発明の効果】
【００１２】
本発明によれば、テーブルの天板下に利用者の足が入り込むことのできる空間領域をできるだけ大きく確保することができる。
【図面の簡単な説明】
【００１３】
【図１】本発明の一実施形態のテーブルの斜視図。
【図２】同実施形態のテーブルのベースの構造を示す分解斜視図。
【図３】同実施形態のテーブルの正面図。
【図４】同実施形態のテーブルの脚体及び天板支持フレームを示す平面図。
【図５】同実施形態のテーブルのベースの構造を示す縦断面図。
【図６】同実施形態のテーブルの脚支柱の形状を示す横断面図。
【図７】本発明の変形例の一に係るテーブルの斜視図。
【図８】同変形例のテーブルの正面図。
【図９】同変形例のテーブルの脚体及び天板支持フレームを示す平面図。
【図１０】同実施形態のテーブルの脚支柱の形状を示す横断面図。
【図１１】本発明の変形例の一に係るテーブルの斜視図。
【図１２】同変形例のテーブルの正面図。
【発明を実施するための形態】
【００１４】
本発明の一実施形態を、図面を参照して説明する。図１ないし図６に示す本実施形態のテーブルは、複数本の脚支柱２１を有する脚体２に天板１を支持させてなるものである。そして、各脚支柱２１の下端同士が上端同士よりも接近するように各脚支柱２１を傾斜させることで、天板１下に利用者の足が入り込むことのできる空間領域４をできるだけ大きく確保している。
【００１５】
本実施形態のテーブルの脚体２は、床面に接地するベース２２と、ベース２２から起立する二本の脚支柱２１とを具備する。ベース２２は、その左右両側にあって前後方向に伸長している基体２２１と、基体２２１の下面に設けられ床面に直接接触する接地体２２６と、左右に対をなす基体２２１の前端同士及び後端同士をそれぞれ連結する横架材２２２と、前後に対をなす横架材２２２間に架け渡した桟２２３と、左右の基体２２１間に装着される着脱可能なカバー２２５とを要素とする。因みに、接地体２２６は、テーブルの天板１（及び、脚体２）の床面に対する相対的な高さ位置を上下させる高さ調節機能を具現するアジャスタであることがある。
【００１６】
ベース２２は、平面視略矩形状の外形を有する。図２、図５及び図６に示すように、ベース２２における基体２２１及び横架材２２２は、平面視中空な四方枠状をなしており、その内に複数本（図示例では、二本）の桟２２３を左右方向に離間させて配している。基体２２１、横架材２２２及び桟２２３は、互いに相対移動不能に固結している。横架材２２２の上面は基体２２１の上面よりも若干低く、前方の横架材２２２の前面は基体２２１の前面よりも若干後方に偏倚し、後方の横架材２２２の後面は基体２２１の後面よりも若干前方に偏倚している。桟２２３の上面は、横架材２２２の上面よりも低い位置にある。
【００１７】
ベース２２の基体２２１及び横架材２２２に囲繞された内部には、錘２２４を設置することができる。錘２２４は、比較的薄型の板状体であり、桟２２３上に載置することでベース２２に荷重を加える。このとき、錘２２４の上面は、横架材２２２の上面よりも上方に飛び出さない。
【００１８】
カバー２２５は、平面視略矩形状をなす平板な頂壁２２５１と、頂壁２２５１の前縁から屈曲して垂下する前壁２２５２と、頂壁２２５１の後縁から屈曲して垂下する後壁２２５３とを有している。頂壁２２５１の左右方向に沿った幅寸法は、左右に対をなす基体２２１の内法、即ち両基体２２１の離間距離に略等しい。頂壁２２５１の前後方向に沿った奥行寸法は、前後に対をなす横架材２２２の外法、即ち前方の横架材２２２の前面から後方の横架材２２２の後面までの距離に略等しい。図６に示すように、カバー２２５は、その頂壁２２５１を横架材２２２の上面に載置し、その前壁２２５２を前方の横架材２２２の前面に当接または近接させ、かつその後壁２２５３を後方の横架材２２２の後面に当接または近接させるようにして、横架材２２２に覆い被せる。カバー２２５は、左右の基体２２１間に存在する横架材２２２、桟２２３及び錘２２４を、上方、前方及び後方から遮蔽して覆い隠す。
【００１９】
左右の脚支柱２１はそれぞれ、ベース２２の左右の外縁部、より具体的には左右の基体２２１に立設している。左方の脚支柱２１の下端は、左方の基体２２１の左側縁部、前後方向に沿った中間部位に上方から嵌め込まれて接合する。同様に、右方の脚支柱２１の下端は、右方の基体２２１の右側縁部、前後方向に沿った中間部位に上方から嵌め込まれて接合する。ベース２２（の基体２２１）と脚支柱２１とは、互いに相対移動不能に固結している。つまり、左右の脚支柱２１の下端はベース２２を介して相互に連結されており、左右の脚支柱２１のうちの一方が他方に対して相対的に変位（回転を含む）することはない。
【００２０】
脚支柱２１は、その下端から上端まで、等断面形状をなしながら直線的に延伸している。図６に示すように、脚支柱２１の外周には、五つの側面２１１、２１２、２１３、２１４、２１５を成形している。換言すれば、脚支柱２１は、横断面視において概ね五角形状をなしている。外方に所在する二つの側面２１１、２１２は、その法線方向が互いに略直交する。これら二つの側面２１１、２１２が交差する出隅は、大きく丸面取りしてある。この出隅は、テーブルの左右方向に沿った外側方に突き出している。内方に所在する三つの側面２１３、２１４、２１５のうち、中間にある側面２１４と、これに隣接する側面２１３、２１５とは、略１３５°の角度をなして交差する。また、側面２１１と側面２１３とは略直交し、側面２１２と側面２１４とも略直交している。
【００２１】
天板１は、天板支持フレーム３を介して脚体２の上端に支持される。天板支持フレーム３は、その左右両側にあって前後方向に伸長している基体３１と、左右に対をなす基体３１の前端同士及び後端同士をそれぞれ連結する横架材３２とを要素とする。天板支持フレーム３は、平面視略矩形状の外形を有する。図４及び図５に示すように、天板支持フレーム３の基体３１及び横架材３２は、平面視中空な四方枠状をなしている。基体３１及び横架材３２は、互いに相対移動不能に固結している。天板１は、これら基体３１及び／または横架材３２の上面に載置して固定する。
【００２２】
左右の脚支柱２１はそれぞれ、天板支持フレーム３の左右の外縁部、より具体的には左右の基体３１に連接している。左方の脚支柱２１の上端は、左方の基体３１の左側縁部、前後方向に沿った中間部位に下方から嵌め込まれて接合する。同様に、右方の脚支柱２１の上端は、右方の基体３１の右側縁部、前後方向に沿った中間部位に下方から接合する。脚支柱２１と天板支持フレーム３（の基体３１）とは、互いに相対移動不能に固結している。つまり、左右の脚支柱２１の上端は天板支持フレーム３を介して相互に連結されており、左右の脚支柱２１のうちの一方が他方に対して相対的に変位（回転を含む）することはない。
【００２３】
図４に示すように、天板１の外縁は、天板支持フレーム３の外縁よりも外方に張り出している。各脚支柱２１の上端は、天板１の外縁よりも内側寄りに位置している。
【００２４】
しかして、図３及び図４に示すように、本実施形態のテーブルでは、正面視において左右の脚支柱２１の下端同士がその上端同士よりも接近するように、各脚支柱２１を逆ハの字形に傾斜させている。脚支柱２１の上端は、ベース２２の外縁よりも外側寄りに位置している。これにより、各脚支柱２１の上端の直下に、利用者の足が入り込むことのできる空間領域４（網点を付して表す）が形成される。図なお、図５に示すように、側面視においては、脚支柱２１は傾斜せず鉛直に直立している。
【００２５】
ベース２２の上方かつ天板支持フレーム３の下方にある、左右の脚支柱２１間の空間は、閉塞されることなく左右及び前後に向けて開放している。本実施形態のテーブルの利用者は、この空間に足を差し入れ、ベース２２の上に足を置くこともできる。ベース２２及び天板支持フレーム３を除き、左右の脚支柱２１に跨るように両脚支柱２１に連結する部材は存在しない。また、ベース２２及び天板支持フレーム３はそれぞれ、その上下方向に沿った厚み寸法が比較的薄く、扁平である。
【００２６】
天板１から脚体２に下向きの荷重が作用するとき、天板支持フレーム３の横架材３２には、左右に対をなす脚支柱２１の上端から、左右方向に沿って外側方に向かう引張応力が加わる。
【００２７】
本実施形態では、接地するベース２２に複数本の脚支柱２１を立設してなる脚体２と、この脚体２に支持された天板１とを具備するテーブルであって、前記複数の脚支柱２１は、その下端同士がその上端同士よりも接近する方向に傾斜しており、前記脚支柱２１の上端は、前記天板１の外縁よりも内側寄りに位置しており、前記各脚支柱２１の下方に利用者の足が入り込める領域４が形成されているテーブルを構成した。
【００２８】
本実施形態によれば、テーブルの天板１下に利用者の足が入り込むことのできる空間領域４を大きく確保することができる。
【００２９】
前記ベース２２は、その外縁部に前記脚支柱２１の下端が位置する形態をなしている。このため、下方に向かうほど利用者の足が入り込める空間領域４が奥深く広くなり、利用者がより自由に下肢を動かすことが可能となる。
【００３０】
前記各脚支柱２１が前記ベース２２を介して他の脚支柱２１と連結されていることから、脚体２の剛性、強度、安定性が向上する。
【００３１】
本実施形態のテーブルは、ベース２２に錘２２４を取り付けることができるように構成されている。これにより、テーブルの重心が低下して、テーブルの転倒を効果的に抑止できる。
【００３２】
並びに、本実施形態では、複数本の脚支柱２１を有する脚体２と、前記脚支柱２１の上端間を連結する天板支持フレーム３と、この天板支持フレーム３上に配された天板１とを備えたテーブルであって、前記脚支柱２１が、前記天板１から前記脚体２に作用する下向きの荷重により前記天板支持フレーム３に引張応力が作用する方向に傾斜させてあるテーブルを構成した。
【００３３】
天板１上に載せた物品や天板１それ自体に作用する重力等に起因する下向きの荷重が脚体２に作用すると、傾斜した脚支柱２１の上端同士が互いに離反する方向に傾倒しようとし、脚支柱２１の上端が連結している天板支持フレーム３（の横架材３２）に水平方向に沿った引張応力が作用する。その結果として、天板支持フレーム３（の横架材３２）の中央部が下方に撓むのを抑制することができる。ひいては、天板１が上下の厚み方向に撓むのを効果的に抑制することが可能となる。
【００３４】
なお、本発明は以上に詳述した実施形態に限られるものではない。例えば、上記実施形態のテーブルでは二本の脚支柱２１により天板１を支持していたが、テーブルが備える脚支柱２１の本数は三本以上であってもよい。
【００３５】
図７ないし図１０に、本発明の変形例の一を示している。本変形例のテーブルの脚体２は、床面に接地するベース２２と、ベース２２から起立する四本の脚支柱２１とを具備する。ベース２２は、その四隅に所在するコーナーブロック２２７と、コーナーブロック２２７の下面に設けられ床面に直接接触する接地体２２６と、左右に及び前後に対をなす二個のコーナーブロック２２７同士を連結する四方の横架材２２８と、コーナーブロック２２７及び横架材２２８の内側に装着される着脱可能なカバー２２９とを要素とする。既に述べた通り、接地体２２６は、テーブルの天板１の床面に対する相対的な高さ位置を上下させるアジャスタであることがある。
【００３６】
ベース２２は、平面視略矩形状の外形を有する。図９及び図１０に示すように、ベース２２におけるコーナーブロック２２７及び横架材２２８は、平面視中空な四方枠状をなしている。コーナーブロック２２７及び横架材２２８は、互いに相対移動不能に固結している。
【００３７】
カバー２２９の左右方向に沿った幅寸法は、左右に対をなす横架材２２８の内法、即ち両横架材２２８の離間距離に略等しい。カバー２２９の前後方向に沿った奥行寸法は、前後に対をなす横架材２２８の内法、即ち両横架材２２８の離間距離に略等しい。カバー２２９は、ベース２２のコーナーブロック２２７及び横架材２２８に囲繞された内部を、上方から遮蔽して覆い隠す。
【００３８】
四本の脚支柱２１はそれぞれ、ベース２２の外縁部、より具体的には四隅のコーナーブロック２２７に立設している。各脚支柱２１の下端は、各コーナーブロック２２７の隅角部位に上方から嵌め込まれて接合する。ベース２２（のコーナーブロック２２７）と脚支柱２１とは、互いに相対移動不能に固結している。つまり、四本の脚支柱２１の下端はベース２２を介して相互に連結されており、四本の脚支柱２１のうちの一本が他の三本に対して相対的に変位（回転を含む）することはない。
【００３９】
脚支柱２１は、その下端から上端まで、等断面形状をなしながら直線的に延伸している。図１０に示すように、脚支柱２１の外周には、五つの側面２１１、２１２、２１３、２１４、２１５を成形している。換言すれば、脚支柱２１は、横断面視において概ね五角形状をなしている。外方に所在する二つの側面２１１、２１２は、その法線方向が互いに略直交する。これら二つの側面２１１、２１２が交差する出隅は、大きく丸面取りしてある。この出隅は、テーブルの左右及び前後方向に沿った外側方に、即ちテーブルの四隅に向かって突き出している。内方に所在する三つの側面２１３、２１４、２１５のうち、中間にある側面２１４と、これに隣接する側面２１３、２１５とは、略１３５°の角度をなして交差する。また、側面２１１と側面２１３とは略直交し、側面２１２と側面２１４とも略直交している。
【００４０】
天板１は、天板支持フレーム３を介して脚体２の上端に支持される。天板支持フレーム３は、その四隅に所在するコーナーブロック３３と、左右に及び前後に対をなす二個のコーナーブロック３３同士を連結する四方の横架材３４とを要素とする。天板支持フレーム３は、平面視略矩形状の外形を有する。図９に示すように、天板支持フレーム３のコーナーブロック３３及び横架材３４は、平面視中空な四方枠状をなしている。コーナーブロック３３及び横架材３４は、互いに相対移動不能に固結している。天板１は、これらコーナーブロック３３及び／または横架材３４の上面に載置して固定する。
【００４１】
四本の脚支柱２１はそれぞれ、天板支持フレーム３の外縁部、より具体的には四隅のコーナーブロック３３に連接している。各脚支柱２１の上端は、各コーナーブロック３３の隅角部位に下方から嵌め込まれて接合する。脚支柱２１と天板支持フレーム３（のコーナーブロック３３）とは、互いに相対移動不能に固結している。つまり、四本の脚支柱２１の上端は天板支持フレーム３を介して相互に連結されており、四本の脚支柱２１のうちの一本が他の三本に対して相対的に変位（回転を含む）することはない。
【００４２】
図９に示すように、天板１の外縁は、天板支持フレーム３の外縁よりも外方に張り出している。各脚支柱２１の上端は、天板１の外縁よりも内側寄りに位置している。
【００４３】
しかして、図８及び図９に示すように、本変形例のテーブルでは、正面視において左右の脚支柱２１の下端同士がその上端同士よりも接近するように、並びに側面視において前後の脚支柱２１の下端同士がその上端同士よりも接近するように、各脚支柱２１を逆ハの字形に傾斜させている。なお、本変形例のテーブルの側面図は、図８の正面図と略同一に表れる。各脚支柱２１の上端は、ベース２２の外縁よりも外側寄りに位置している。これにより、各脚支柱２１の上端の直下に、利用者の足が入り込むことのできる空間領域４（網点を付して表す）が形成される。
【００４４】
ベース２２の上方かつ天板支持フレーム３の下方にある、四隅の脚支柱２１の内側の空間は、閉塞されることなく左右及び前後に向けて開放している。本実施形態のテーブルの利用者は、この空間に足を差し入れ、ベース２２の上に足を置くこともできる。ベース２２及び天板支持フレーム３を除き、左右の脚支柱２１に跨るように両脚支柱２１に連結する部材は存在しない。また、ベース２２及び天板支持フレーム３はそれぞれ、その上下方向に沿った厚み寸法が比較的薄く、扁平である。
【００４５】
天板１から脚体２に下向きの荷重が作用するとき、天板支持フレーム３の前方及び後方の（左右方向に伸長する）横架材３４には、左右に対をなす脚支柱２１の上端から、左右方向に沿って外側方に向かう引張応力が加わる。同時に、天板支持フレーム３の左方及び右方の（前後方向に伸長する）横架材３４には、前後に対をなす脚支柱２１の上端から、前後方向に沿って外側方に向かう引張応力が加わる。
【００４６】
本実施形態では、接地するベース２２に複数本の脚支柱２１を立設してなる脚体２と、この脚体２に支持された天板１とを具備するテーブルであって、前記複数の脚支柱２１は、その下端同士がその上端同士よりも接近する方向に傾斜しており、前記脚支柱２１の上端は、前記天板１の外縁よりも内側寄りに位置しており、前記各脚支柱２１の下方に利用者の足が入り込める領域４が形成されているテーブルを構成した。
【００４７】
本実施形態によれば、テーブルの天板１下に利用者の足が入り込むことのできる空間領域４を大きく確保することができる。
【００４８】
前記ベース２２は、その外縁部に前記脚支柱２１の下端が位置する形態をなしている。このため、下方に向かうほど利用者の足が入り込める空間領域４が奥深く広くなり、利用者がより自由に下肢を動かすことが可能となる。
【００４９】
前記各脚支柱２１が前記ベース２２を介して他の脚支柱２１と連結されていることから、脚体２の剛性、強度、安定性が向上する。前記ベース２２は、平面視略矩形状のものであり、そのベース２２の四隅にそれぞれ、前記脚支柱２１が立設されている。これら脚支柱２１は、天板１を安定的に支持することができる。
【００５０】
並びに、本実施形態では、複数本の脚支柱２１を有する脚体２と、前記脚支柱２１の上端間を連結する天板支持フレーム３と、この天板支持フレーム３上に配された天板１とを備えたテーブルであって、前記脚支柱２１が、前記天板１から前記脚体２に作用する下向きの荷重により前記天板支持フレーム３に引張応力が作用する方向に傾斜させてあるテーブルを構成した。
【００５１】
天板１上に載せた物品や天板１それ自体に作用する重力等に起因する下向きの荷重が脚体２に作用すると、傾斜した脚支柱２１の上端同士が互いに離反する方向に傾倒しようとし、脚支柱２１の上端が連結している天板支持フレーム３（の横架材３４）に水平方向に沿った引張応力が作用する。その結果として、天板支持フレーム３（の横架材３４）の中央部が下方に撓むのを抑制することができる。ひいては、天板１が上下の厚み方向に撓むのを効果的に抑制することが可能となる。
【００５２】
また、上記実施形態及び変形例のテーブルの天板１は平面視略矩形状をなしていたが、天板１の形状は矩形状には限定されない。例えば、図１１及び図１２に示すように、天板１が平面視略円形状をなしていてもよい。図１２は、図１１に示すテーブルの正面図であるが、同テーブルの側面図はこの正面図と略同一に表れる。
【００５３】
脚体２のベース２２にカバー２２５、２２９を装着せず、ベース２２が平面視中空な四方枠状をなし、以て平面視略矩形状のものとなっていることがある。
【００５４】
複数本の脚支柱２１の下端同士を連結するベース２２は、本発明にとって必須の構成要素ではなく、これを廃しても構わない。テーブルの脚支柱の下端を床面にアンカー止めしたり、脚支柱の中間部同士を横架材その他の部材により連結したりすることも当然に可能である。
【００５５】
その他、各部の具体的構成は、本発明の趣旨を逸脱しない範囲で種々変形が可能である。
【産業上の利用可能性】
【００５６】
本発明は、複数本の脚支柱により天板を支持するテーブルに適用することができる。
【符号の説明】
【００５７】
１…天板
２…脚体
２１…脚支柱
２２…ベース
２２４…錘
３…天板支持フレーム
４…利用者の足が入り込める領域
【図１】
2019076572.tif 000003
【図２】
2019076572.tif 000004
【図３】
2019076572.tif 000005
【図４】
2019076572.tif 000006
【図５】
2019076572.tif 000007
【図６】
2019076572.tif 000008
【図７】
2019076572.tif 000009
【図８】
2019076572.tif 000010
【図９】
2019076572.tif 000011
【図１０】
2019076572.tif 000012
【図１１】
2019076572.tif 000013
【図１２】
2019076572.tif 000014